(57)【特許請求の範囲】
【請求項１】
水栓内に設けられた弁座に対して弁体を近接あるいは離間させるためのスピンドル軸に取り付けられた取付部と、この取付部をスピンドル軸の軸芯まわりに回動操作させるための取手部とよりなり、前記取手部は、取手部下面を構成する周端面によって形成された下方開口を有し、この下方開口を介して内部空間に動物等のイラストが描画された装飾部材を固定配置するとともに、前記下方開口を閉塞する蓋を設けた透明樹脂製のハンドルであって、
前記取手部は、前記取付部の周面からスピンドル軸の軸芯に直交する取手部長さ方向に延設されているとともに、取手部上面が、前記取付部の周面から取手部長さ方向に沿って水平面と、この水平面から上方に傾斜した後天面に至る傾斜面と、天面から湾曲状に下降して取手部下面に至る湾曲面より構成されており、
さらに、前記装飾部材は、前記内部空間における前記傾斜面および前記湾曲面に対応する位置に収容されるよう構成してあることを特徴とするハンドル。
【請求項２】
前記蓋の内面部に前記装飾部材を固着してある請求項１に記載のハンドル。
【請求項３】
前記蓋と前記装飾部材は別体である請求項１に記載のハンドル。
【請求項４】
外面を凹入部のない滑らかな面に形成し、塵埃が溜まらないようにした請求項１ないし請求項３のいずれかに記載のハンドル。
【発明の詳細な説明】
【０００１】
【発明の属する技術分野】
この発明は、水栓内に設けられた弁座に対して弁体を近接あるいは離間させるためのスピンドル軸に取り付けられたハンドルに関するものである。
【０００２】
【従来の技術および発明が解決しようとする課題】
従来この種のハンドルとして、外観を装飾するために取手部等の外面に動物等のイラストが金型成形により形成されたものがあるが、これらイラストの部分が凹凸形状を有することから、ハンドルを長期にわたり使用しているとイラストの部分の凹入部に塵埃が溜まることによって汚れが生じていた。
【０００３】
この発明は、動物等のイラストの部分に塵埃が溜まるのを防止できるハンドルを提供することを目的とする。
【０００４】
【課題を解決するための手段】
上記目的を達成するために、この発明は、水栓内に設けられた弁座に対して弁体を近接あるいは離間させるためのスピンドル軸に取り付けられた取付部と、この取付部をスピンドル軸の軸芯まわりに回動操作させるための取手部とよりなり、前記取手部は、取手部下面を構成する周端面によって形成された下方開口を有し、この下方開口を介して内部空間に動物等のイラストが描画された装飾部材を固定配置するとともに、前記下方開口を閉塞する蓋を設けた透明樹脂製のハンドルであって、
前記取手部は、前記取付部の周面からスピンドル軸の軸芯に直交する取手部長さ方向に延設されているとともに、取手部上面が、前記取付部の周面から取手部長さ方向に沿って水平面と、この水平面から上方に傾斜した後天面に至る傾斜面と、天面から湾曲状に下降して取手部下面に至る湾曲面より構成されており、
さらに、前記装飾部材は、前記内部空間における前記傾斜面および前記湾曲面に対応する位置に収容されるよう構成してある。
【０００５】
【発明の実施の形態】
以下にこの発明の実施の形態について説明する。なお、この発明はそれによって限定されるものではない。
【０００６】
図１、図２は、水栓のハンドルにおいて、透明樹脂材料で形成された取手部の内部空間を覆う蓋と、この蓋とは別体で、動物等のイラストが描画された装飾部材を設けるとともに、前記内部空間内に前記装飾部材を固定配置したこの発明の第１の実施形態を示す。
【０００７】
図１、図２において、１は、透明樹脂製のハンドルで、水栓２にインサート部材３を介して取り付けられる。ハンドル１は、水栓２内に設けられたスピンドル軸４に取り付けられる取付部５と、この取付部５をスピンドル軸４の軸芯Ａまわりに回動操作させるための取手部６とよりなる。スピンドル軸４の下端には弁体７が設けられ、弁体７に対応する水栓２の胴部８の位置に弁座９が設けられ、取手部６によってスピンドル軸４の軸芯Ａまわりに取付部５を回動操作することによって弁座９に対して弁体７を近接あるいは離間させる。
【０００８】
前記取手部６は、下方開口１０〔図１（Ｃ）参照〕を有し、この下方開口１０を介して内部空間Ｓに動物等のイラストが描画された装飾部材１１が固定配置されるよう構成されている。この下方開口１０は、正面視横長で略矩形の形状を有し、取手部６下面を構成する周端面１０ａによって形成されている（図１（Ｃ）参照）。一方、前記装飾部材１１は、薄板状で、フラットな両面に絵具等によって動物等のイラストが描画されている。前記装飾部材１１は、両面に動物等のイラストが描画されているイラスト部分１１ａと、このイラスト部分１１ａの上端にイラスト部分１１ａと面一で設けた差し込み部分１１ｂとで構成されている。なお、この実施形態では前記装飾部材１１のイラスト部分１１ａをフラットに形成したが、立体感を出すためにイラスト部分１１ａを凹凸形状にしてもよい。
【０００９】
そして、前記取手部６は、内部空間Ｓを形成する内壁の天面部１２から下方に突出した三つの突出片１３，１４，１５によって形成される差し込み部２０を有する。この突出片１３，１４，１５は、取手部６の長さ方向（両矢印Ｂで示す方向）に沿った形で隣接して設けられている。すなわち、突出片１３と突出片１４は同一直線上に設けられ、この直線からずれた位置で、かつ、突出片１３および突出片１４間に、装飾部材１１の前記差し込み部分１１ｂが差し込み可能なように突出片１５が設けられている。
【００１０】
１２は、透明樹脂製の蓋で、前記下方開口１０を閉塞する。なお、蓋１２は、透明樹脂製でなくてもよい。
【００１１】
以下、装飾部材１１を固定配置する手順について説明する。
【００１２】
すなわち、図２に示すように、少なくとも両面に接着剤１９が塗布された差し込み部分１１ｂを上に向けながら装飾部材１１を下方開口１０から内部空間Ｓに収容し、更に、差し込み部分１１ｂを差し込み部２０に差し込むことで、装飾部材１１を内部空間Ｓに固定配置できる。この状態では、装飾部材１１の差し込み部分１１ｂの一方面における二つの部分２２および２３が接着剤１９を介してそれぞれ突出片１３および１４に接着されており、差し込み部分１１ｂの他方面における一つ部分２４が接着剤１９を介して突出片１５に接着されている。
【００１３】
続いて、例えば前記取手部６の周端面１０ａに接着剤２５を塗り、前記周端面１０ａを介して蓋１２を取手部６の下面に取り付ける。
【００１４】
更に、この実施形態では、ハンドル１の外面を凹入部のない滑らかな面に形成し、塵埃が溜まらないようにしている。
【００１５】
このように、ハンドル１の外面を凹入部のない滑らかな面に形成するとともに、装飾部材１１をハンドル１の取手部６内に形成された内部空間Ｓに固定配置したので、イラスト部分１１ａをフラットに形成しても、あるいは、立体感を出すためにイラスト部分１１ａを凹凸形状にしても、ハンドル１を長期にわたり使用したところでイラスト部分１１ａに塵埃が溜まらないことは勿論のこと、ハンドル１の外面に凹入部がないので、ハンドル１の外面にも塵埃が溜まることはなく、汚れが生じ難く、使用者にとっては衛生的である。
【００１６】
図３は、蓋１２の内面部１２ａに装飾部材１１を固着してあるこの発明の第２の実施形態を示す。なお、図３において、図１、図２に示した符号と同一のものは、同一または相当物である。
【００１７】
この場合、装飾部材１１は、イラスト部分１１ａと、このイラスト部分１１ａと蓋１２の内面部１２ａを繋ぐ繋ぎ部分３０とで構成されている。繋ぎ部分３０は蓋１２の下部にイラスト部分１１ａと面一で設けられている。
【００１８】
以下、装飾部材１１を固定配置するには、図３（Ｂ）に示すように、前記取手部６の周端面１０ａに接着剤２５を塗り、図３（Ａ）に示すように、前記周端面１０ａを介して蓋１２を取手部６の下面に取り付けるだけでよく、作業性を向上できる。
【００１９】
【発明の効果】
以上説明したようにこの発明では、動物等のイラストに塵埃が溜まるのを防止できるハンドルを提供することができる。
【図面の簡単な説明】
【図１】  この発明の第１の実施形態を示す図である。
【図２】  上記実施形態における取り付け動作を示す図である。
【図３】  この発明の第２の実施形態を示す図である。
【符号の説明】
１…透明樹脂製のハンドル、２…水栓、４…スピンドル軸、５…取付部、６…取手部、７…弁体、９…弁座、１０…下方開口、１１…装飾部材、１２…蓋、Ａ…軸芯、Ｓ…内部空間。
【図１】
0004422310.tif 000002
【図２】
0004422310.tif 000003
【図３】
0004422310.tif 000004